(57)【要約】      （修正有）【課題】付け爪が装着されている場合や、爪に装飾が施されている場合であっても、装着可能であり、汚れなどから指を保護できる指カバーを提供する。【解決手段】指カバー１は、指カバー１の中央部よりも挿抜方向Ｄｉｎの入口側にあって挿抜方向Ｄｉｎに交差する交差方向に沿って形成された少なくとも一対のスリット部と、一対のスリット部の間に形成される帯状部１３とを有する。指カバー１には、挿入方向Ｄｉｎに沿って使用者の手指が挿入される。【選択図】図３
0003160106.tif 000002
【実用新案登録請求の範囲】
【請求項１】
使用者の手指に装着される指カバーであって、
前記手指の挿抜方向に交差する方向に沿って形成されるとともに、前記挿抜方向における中央部から前記挿抜方向の一方側に順に並列に形成された少なくとも２つのスリット部と、
前記２つのスリット部の間に形成される帯状部と
を有する指カバー。
【請求項２】
前記手指の少なくとも指腹に当接する指当接面と、
前記指当接面の反対側に位置する使用面とを有し、
前記帯状部は、前記帯状部が前記指当接面側に山折り又は谷折りになるように設けられた第１折れ線部を有する請求項１に記載の指カバー。
【請求項３】
前記第１折れ線部に対して、前記２つのスリット部のうち少なくとも一方のスリット部を隔てた前記指当接面に、前記指カバーが前記使用面側に山折りになるように設けられた第２折れ線部を有する請求項２に記載の指カバー。
【請求項４】
前記挿抜方向における中央部から他方側の端部に向かうに連れて、前記交差方向の長さが短くなるように形成されている請求項１に記載の指カバー。
【請求項５】
前記挿抜方向における中央部から他方側の端部に向かうに連れて、前記交差方向の長さが長くなるように形成されている請求項１に記載の指カバー。
【請求項６】
前記使用面には、前記指当接面側に凹んだ凹部、及び／又は前記使用面から前記使用面に交差する方向に突出した突部が形成されている請求項２に記載の指カバー。
【請求項７】
前記スリット部の端部は、略円形に形成されている請求項１乃至６の何れか一項に記載の指カバー。
【請求項８】
前記スリット部の端部は、前記挿抜方向に沿って屈曲している請求項１乃至６の何れか一項に記載の指カバー。
【請求項９】
前記２つのスリット部のうち、少なくとも前記挿抜方向における中央部側に位置するスリット部は、前記一方側の端部に向けて凸となるように湾曲されている請求項１乃至８の何れか一項に記載の指カバー。
【考案の詳細な説明】
【技術分野】
【０００１】
本考案は、使用者の手指に装着される指カバーに関する。
【背景技術】
【０００２】
従来、食物などを摘む際、指を保護し、指の汚れを防止することのできる指カバーが提案されている（特許文献１参照）。特許文献１に記載された従来の指カバーは、指を覆う袋状の指包被部と、指包皮部を連結する連結部とを有し、指包皮部が指に被せられた状態で使用される。
【先行技術文献】
【特許文献】
【０００３】
【特許文献１】実開平８−３９５号公報（第１図、第２図）
【考案の概要】
【考案が解決しようとする課題】
【０００４】
しかし、特許文献１に記載された従来の指カバーは、以下のような問題点があった。すなわち、従来の指カバーは、手指の指腹及び爪側を含む全周を覆い隠す構造を有する。そのため、使用者の爪が長い場合、爪に付け爪が装着されている場合、爪に装飾が施されている場合には、従来の指カバーは装着できないか、または装着した場合であっても、フィット性が著しく低下する。
【０００５】
そこで、本考案は、付け爪が装着されている場合や、爪に装飾が施されている場合であっても、装着可能であり、指を汚すことなく対象物を摘むことができる指カバーを提供することを目的とする。
【課題を解決するための手段】
【０００６】
上述した目的を達成するために、本考案の第１の特徴は、使用者の手指（手指Ｍ）に装着される指カバー（指カバー１）であって、前記手指の挿抜方向（挿抜方向Ｄｉｎ）に交差する方向（交差方向ＣＤ）に沿って形成されるとともに、前記挿抜方向における中央部（中央部Ｃ）から前記挿抜方向の一方側に順に並列に形成された少なくとも２つのスリット部（スリット部１１，１２）と、前記２つのスリット部の間に形成される帯状部（帯状部１３）とを有することを要旨とする。
【０００７】
第１の特徴によれば、一対のスリットの間に形成された帯状部によって指カバーが手指に留め付けられる。このような指カバーは、使用者の手指の先端に対応する部分も、爪の表面の上側も開放されている。従って、使用者が付け爪を装着していても、爪に装飾を施していても装着できる。
【０００８】
本考案の第２の特徴は、第１の特徴に係り、前記手指の少なくとも指腹に当接する指当接面（指当接面２１）と、前記指当接面の反対側に位置する使用面（使用面２２）とを有し、前記帯状部は、前記帯状部が前記指当接面側に山折りになるように設けられた第１折れ線部（折れ線部１４ａ）を有することを要旨とする。第２の特徴によれば、帯状部に形成された第１折れ線部によって帯状部が指当接面側に浮き上がり易くなるため、手指を挿入し易くなる。
【０００９】
本考案の第３の特徴は、第２の特徴に係り、前記第１折れ線部に対して、前記２つのスリット部のうち少なくとも一方のスリット部を隔てた前記指当接面に、前記指カバーが前記使用面側に山折りになるように設けられた第２折れ線部（折れ線部１４ｂ）を有することを要旨とする。第３の特徴によれば、帯状部に形成された第２折れ線部によって指カバーが使用面側に山折りにされるため、帯状部と指当接面との間に手指を挿入し易くなる。
【００１０】
本考案の第４の特徴は、本考案の第１の特徴に係り、前記挿抜方向における中央部から他方側の端部（第１端部４１）に向かうに連れて、前記交差方向の長さが短くなるように形成されていることを要旨とする。第４の特徴によれば、指カバー１は、手指の輪郭に沿う形状になっているため、使用者は、対象物を摘みやすい。
【００１１】
本考案の第５の特徴は、第２の特徴に係り、前記使用面には、前記指当接面側に凹んだ凹部、及び／又は前記使用面から前記使用面に交差する方向に突出した突部が形成されていることを要旨とする。第５の特徴によれば、使用面の凹凸が滑り止めの役割を果たすため、使用者は、対象物を摘みやすい。
【００１２】
本考案の第６の特徴は、第１乃至第５の何れか一つの特徴に係り、前記スリット部の端部は、略円形に形成されている。第６の特徴によれば、使用するにつれてスリット部が伸展することにより、帯状部の係止力が弱まることを防止できる。すなわち、指カバーのフィット性が維持される。
【００１３】
本考案の第７の特徴は、第１乃至第６の何れか一つの特徴に係り、前記２つのスリット部のうち、少なくとも前記挿抜方向における中央部側に位置するスリット部は、前記一方側の端部に向けて凸となるように湾曲されていることを要旨とする。第７の特徴によれば、帯状部を指腹側に浮き上がらせたことによってできる開口を狭めるとともに、使用面の面積を広げることができ、指腹を保護する効果を高められる。
【考案の効果】
【００１４】
本考案によれば、付け爪が装着されている場合や、爪に装飾が施されている場合であっても、装着可能であり、指を汚すことなく対象物を摘むことができる指カバーを提供できる。
【図面の簡単な説明】
【００１５】
【図１】図１は、本考案の実施形態に係る指カバーを指当接面側からみた平面図である。
【図２】図２は、本考案の実施形態に係る指カバーを使用面側からみた平面図である。
【図３】図３は、本考案の実施形態に係る指カバーの使用状態を説明する斜視図である。
【図４】図４は、本考案の実施形態に係る指カバーを手指に装着した状態を説明する斜視図である。
【図５】図５は、本考案の実施形態に係る指カバーの変形例を説明する平面図である。
【図６】図６は、本考案の実施形態に係る指カバーの変形例を説明する平面図である。
【図７】図７は、本考案の実施形態に係る指カバーの変形例を説明する平面図である。
【図８】図８は、本考案の実施形態に係る指カバーの変形例を説明する平面図である。
【図９】図９は、本考案の実施形態に係る指カバーの変形例を説明する平面図である。
【図１０】図１０は、本考案の実施形態に係る指カバーの変形例を説明する平面図である。
【図１１】図１１は、本考案の実施形態に係る指カバーの変形例を説明する平面図である。
【図１２】図１２は、本考案の実施形態に係る指カバーの変形例を説明する斜視図である。
【図１３】図１３は、本考案の実施形態に係る指カバーの提供例を説明する斜視図である。
【図１４】図１４は、本考案の実施形態に係る指カバーの提供例を説明する斜視図である。
【図１５】図１５は、本考案の実施形態に係る指カバーの提供例を説明する斜視図である。
【考案を実施するための形態】
【００１６】
次に、本考案に係る指カバーの実施形態について、図面を参照しながら説明する。具体的には、（１）指カバーの構成、（２）指カバーの製造方法、（３）作用・効果、（４）指カバーの変形例、（５）指カバーの提供例、（６）その他の実施形態について説明する。
【００１７】
（１）指カバーの構成
図１〜図３を参照して、指カバー１の構成を説明する。図１は、指カバー１を指当接面側からみた平面図である。
【００１８】
指カバー１は、使用者の手指Ｍ（図４にて説明する）に装着される。指カバー１には、挿抜方向Ｄｉｎに沿って使用者の手指Ｍ（後述する）が挿入される。指カバー１は、手指の挿抜方向Ｄｉｎに交差する交差方向ＣＤに沿って形成されるとともに、挿抜方向Ｄｉｎの中央部Ｃから挿抜方向Ｄｉｎの一方側に順に並列に形成された少なくとも２つのスリット部１１，１２と、スリット部１１，１２の間に形成される帯状部１３とを有する。
【００１９】
図１〜図３に示す実施形態では、スリット部１１，１２は、交差方向ＣＤに沿って直線状に形成されている。スリット部１１，１２のスリット端部５１，５２は、略円形に形成されている。
【００２０】
図１〜図３に示す実施形態では、指カバー１の挿抜方向Ｄｉｎの長さＬは、３０ｍｍ〜４０ｍｍとすることができる。また、指カバー１の交差方向ＣＤの長さＷは、４０ｍｍ〜５０ｍｍとすることができる。また、指カバー１の両側端部とスリット部１１，１２の端部との間隔ｓは、例えば、５ｍｍ以上とすることができる。
【００２１】
指カバー１は、手指Ｍの少なくとも指腹Ｍａに当接する指当接面２１と、指当接面２１の反対側に位置する使用面２２とを有する。
【００２２】
帯状部１３は、帯状部１３が指当接面２１側に山折りになるように設けられた折れ線部１４ａを有する。また、帯状部１３に形成された折れ線部１４ａに対して、２つのスリット部のうち少なくとも一方のスリット部を隔てた指当接面２１に、折れ線部１４ｂが形成される。折れ線部１４ｂは、指カバー１が使用面２２側に山折りになるように設けられている。
【００２３】
ここで、折れ線部１４ａ，１４ｂとは、指カバー１を折り畳む際に「折り目」になるように、折り畳まれ易く加工した部分である。指カバー１を形成する資材が、例えば、厚紙のように高い強度を有する資材であれば、プレス加工などによって押圧することにより形成することができる。また、例えば、紙ナプキンのように強度の低い資材であれば、少なくとも一度折り畳むことによって形成することができる。
【００２４】
指カバー１は、手指Ｍの指先に対応する第１端部４１と、手指Ｍの付け根側に対応する第２端部４２とを有する。指カバー１は、第２端部４２から第１端部４１に向かうにつれて交差方向ＣＤの長さが短くなるように形成される。実施形態では、第１端部４１は、円弧形状に形成されている。
【００２５】
図２は、指カバー１を使用面側からみた平面図である。使用面２２には、凹部及び／又は突部６１が形成されている。実施形態では、凹部及び／又は突部６１は、使用面２２において、ドット状に形成されている。凹部は、使用面２２から指当接面２１側に向けて凹んでおり、突部は、使用面２２から使用面２２に交差する方向に突出している。
【００２６】
指カバー１の材質としては、液体を透過しない不透過性シート、撥水性を有する撥水性シート、耐水性シート、耐油性シート、樹脂シート、厚紙などが挙げられる。また、合成樹脂のシートであってもよい。更に、これらのシートが複数重ね合わされて形成された複合シートでもよい。指カバー１の材質がこれらのシートからなる場合には、凹部及び／又は突部６１は、例えば、エンボス加工によって形成することができる。
【００２７】
指カバー１の材質の一例として、例えば、厚み２００μｍ〜４００μｍの透明ポリプロピレンシートを用いることができる。また、耐水性、耐油性を高める加工が施された合成樹脂と紙とを複合したシート状の材料を用いることができる。複合シートの一例としては、ユポコーポレーション社製  ニューユポ  ＦＧＳ２５０，ＦＧＳ１５０，ＦＧＳＳ９５，ＦＧＳ６０が挙げられる。また、紙の表面に合成樹脂フィルムなどを貼付したシート状の材料を用いることができる。例えば、いわゆる、エスプリコート紙２２Ｋ  ポリプロピレンフィルム両面貼り加工、エスプリコート紙２６．５Ｋ  ポリプロピレンフィルム両面貼り加工、エスプリコート紙２２０Ｋ  ポリプロピレンフィルム両面貼り加工などを用いることができる。
【００２８】
図３は、指カバー１の使用状態を説明する斜視図である。帯状部１３が折れ線部１４ａにおいて指当接面２１側に山折りにされ、指カバー１が折れ線部１４ｂにおいて使用面２２側に山折りにされることにより、指カバー１には、手指Ｍを挿入する指挿入部３１が形成される。
【００２９】
（２）指カバーの製造方法
指カバー１を製造する場合には、上述したシート状の資材を単数または複数重ね合わせることにより形成した複合シートを、例えば、指カバー１の輪郭形状と、スリット部１１，１２とを切り抜くためのカッターとを備えたプレス加工機によって切り抜くことにより製造できる。このとき、プレス工程において、使用面２２に凹部又は突部６１を形成するためのエンボス処理を行ってもよい。
【００３０】
指カバー１を製造する工程において、折れ線部１４ａ，１４ｂのような折り癖をつけるための押圧加工を行うこともできる。プレス加工機によって指カバー１を切り抜く加工と同時に行ってもよい。折れ線部１４ａ，１４ｂを形成する場合には、折れ線部１４ａ，１４ｂに対してともに同一方向（例えば、指当接面２１から使用面２２に向けて凸になる方向）から押圧することができる。
【００３１】
また、折れ線部１４ａと、折れ線部１４ｂに対してそれぞれ逆向きの押圧方向（すなわち、折れ線部１４ａに対しては、使用面２２から指当接面２１に向かう方向であり、折れ線部１４ｂに対しては、指当接面２１から使用面２２に向かう方向）から押圧されてもよい。折れ線部１４ｂは、第１端部４１及び第２端部４２まで到達していない位置に形成することができる。また、第１端部４１及び第２端部４２まで到達していてもよい。
【００３２】
（３）作用・効果
上述した指カバー１によれば、一対のスリット部１１，１２の間に形成された帯状部１３によって指カバー１が手指Ｍに留め付けられる。このような指カバー１は、使用者の爪の先端に対応する部分も、爪の表面の上側も開放されているため、使用者が付け爪を装着していても、爪に装飾を施していても装着できる。
【００３３】
従って、使用者は指カバー１を装着することによって、手指を使って食品を食する際に、手指を汚すことがない。また、使用者は、手指が汚れていても、指カバー１を装着することによって、手指を使って食することができ、衛生的にも優れている。
【００３４】
指カバー１では、帯状部１３は、折れ線部１４ａにおいて指当接面２１側に山折りにされる。或いは、指カバー１は、折れ線部１４ｂにおいて使用面２２側に山折りにされる。これにより、手指Ｍを挿入する指挿入部３１が形成され易くなる。これにより、装着が容易になる。
【００３５】
上述した指カバー１は、手指Ｍの爪側に対応する第１端部４１と、手指Ｍの関節側に対応する第２端部４２とを有し、第２端部４２から第１端部４１に向かうにつれて交差方向ＣＤの長さが短くなるように形成されている。このように、指カバー１は、第２端部４２から第１端部４１に向かうにつれて先細になる、すなわち、手指Ｍの輪郭に沿う形状になっている。このような形状を有する指カバー１は、細かな物（例えば、指先と同等サイズの物）を摘むのに適する。使用者は、細かな物でも容易に摘むことができる。
【００３６】
また、指カバー１の使用面２２には、凹部及び／又は突部６１が形成されている。この凹部及び／又は突部６１が滑り止めの役割を果たすため、使用者は、容易に対象物を摘むことができる。
【００３７】
指カバー１のスリット部１１，１２のスリット端部５１，５２は、略円形に形成される。このため、使用するにつれてスリット部１１，１２が指カバー１の両側端部側に伸展することを防止できる。これにより、スリット部１１，１２が伸展することにより帯状部１３の係止力が弱まることを防止できる。すなわち、指カバー１の手指Ｍへのフィット性が維持できる。
【００３８】
図１〜図３に示す実施形態では、指カバー１の挿抜方向Ｄｉｎの長さＬは、３０ｍｍ〜４０ｍｍ、指カバー１の交差方向ＣＤの長さＷは、４０ｍｍ〜５０ｍｍ、指カバー１の両側端部とスリット部１１，１２の端部との間隔ｓは、５ｍｍ以上とすることにより、手指に装着して違和感のない大きさにすることができる。
【００３９】
指カバー１の材質の一例として挙げた、例えば、厚み２００μｍ〜４００μｍの透明ポリプロピレンシート、ユポコーポレーション社製  ニューユポ  ＦＧＳ２５０，ＦＧＳ１５０，ＦＧＳＳ９５，ＦＧＳ６０、エスプリコート紙２２Ｋ  ポリプロピレンフィルム両面貼り加工、エスプリコート紙２６．５Ｋ  ポリプロピレンフィルム両面貼り加工、エスプリコート紙２２０Ｋ  ポリプロピレンフィルム両面貼り加工などの資材は、厚み、硬さなどが指カバー１を手指に保持するのに適する。
【００４０】
すなわち、上述した材質は、折れ線部１４ａ及び折れ線部１４ｂにおいて折り曲げた際に、元に戻ろうとする弾性力が働く。これにより、指カバー１が手指から脱落しない程度に帯状部１３が手指を締め付けることができる。
【００４１】
また、指カバー１は、上述したようにプレス加工により製造可能であるため、資材をカットした後、袋状に貼り合わせる工程を経て製造される従来の指カバーに比べて、製造コストを低減できる。
【００４２】
指カバー１を製造する工程では、折れ線部１４ａ，１４ｂを形成する場合に、折れ線部１４ａ，１４ｂに対してともに同一方向から押圧することができる。これにより、製造工程を簡略化できる。
【００４３】
（４）指カバーの変形例
上述した指カバー１は、以下に示すように変形することができる。図５は、変形例として示す指カバー２の指当接面側からみた平面図である。指カバー２は、指カバー２の中央部Ｃよりも挿抜方向Ｄｉｎの入口側にあって挿抜方向Ｄｉｎに交差する交差方向ＣＤに沿って形成された少なくとも一対のスリット部１１１，１１２と、一対のスリット部１１１，１１２の間に形成される帯状部１１３とを有する。スリット部１１１，１１２の端部は、必ずしも略円形に形成されていなくてもよい。
【００４４】
図６は、変形例として示す指カバー３の使用面側からみた平面図である。指カバー３では、スリット部１２１が第２端部１２６に向けて凸となるように湾曲されている。図６に示す例では、スリット部１２２は、スリット部１２１に対向し第１端部１２５に向けて凸になるように湾曲されているが、スリット部１２１と同じ方向に湾曲されていてもよい。
【００４５】
スリット部１２１が第２端部１２６に向けて凸となるように湾曲されていることにより、帯状部１２３を指腹側に浮き上がらせたことによってできる開口を狭めることができ、使用面１２４の面積を広げることができる。これにより、手指Ｍの指腹Ｍａを保護する効果を高められる。
【００４６】
図７は、変形例として示す指カバー４の使用面側からみた平面図である。指カバー４の使用面１３１には、凹部１３２が円環状に形成されている。このように、使用面に施される表面加工の形状、加工方法などは周知の技術を適用可能である。
【００４７】
図８は、変形例として示す指カバー５の使用面側からみた平面図である。図８に示す例では、第１端部１４１から第２端部１４２に向けて指カバー５の交差方向ＣＤの幅Ｗが一定になっている。
【００４８】
図９は、変形例として示す指カバー６の使用面側からみた平面図である。図９に示す指カバー６は、手指Ｍの付け根側に対応する第２端部１５２から手指Ｍの指先に対応する第１端部１５１に向かうに連れて、交差方向ＣＤの長さが長くなるように形成されている。すなわち、第１端部１５１における幅Ｗ１、第２端部１５２における幅Ｗ２とするとき、Ｗ１＞Ｗ２である。このような形状を有する指カバー６は、指先よりも大きいサイズのものを摘むのに適している。
【００４９】
図１０は、変形例として示す指カバー７の使用面側からみた平面図である。図１０に示す指カバー７は、第１端部１６１の中央部に第１端部１６１から挿抜方向Ｄｉｎに突出した凸部１６３が形成されている。凸部１６３の交差方向ＣＤの幅Ｗ３は、第２端部１６２の幅Ｗよりも短い。このような形状を有する指カバー７は、凸部１６３を備えたことにより、指先よりも細かいサイズのものを摘むのに適している。
【００５０】
図１１は、変形例として示す指カバー８の使用面側からみた平面図である。図１１に示す指カバー８は、手指Ｍの指先に対応する第１端部１７１に、対象物を押さえることができる押さえ部１７２，１７３，１７４，１７５が形成されている。このような形状を有する指カバー８は、対象物を保持するホールド性が高められる。
【００５１】
図１２（ａ），（ｂ）は、変形例として示す指カバー９の使用面側からみた平面図である。図１２に示す指カバー９のスリット部１８１の端部１８１ａ，１８１ｂは、挿抜方向Ｄｉｎに沿って屈曲している。また、指カバー９のスリット部１８２の端部１８２ａ，１８２ｂは、挿抜方向Ｄｉｎに沿って屈曲している。
【００５２】
スリット部１８１の端部１８１ａ，１８１ｂ、及び／又はスリット部１８２の端部１８２ａ，１８２ｂが挿抜方向Ｄｉｎに沿って屈曲していることにより、手指Ｍに装着された状態において、使用者の手指が曲げ易くなる。
【００５３】
（５）指カバーの提供例
図１３〜図１５を用いて、指カバーの提供例について説明する。図１３〜図１５は、本考案の実施形態に係る指カバーの提供例を説明する斜視図である。指カバー１は、図１に示す形態の製品として提供されてもよいが、指カバー１は、例えば、スナック菓子などの食品と一緒に消費され得る商品の包装などの一部に切り離し可能に形成することもできる。
【００５４】
図１３に示す例では、指カバー１は、シート５１０の一部になっている。指カバー１は、切り抜き加工によって一部がシート５１０から切り抜かれた状態になっており、一部がミシン目５１１などによって切り離し可能に形成されている。シート５１０は、コップ５００に取り付けられる。
【００５５】
図１４に示す例では、指カバー１は、コップ５００に対して着脱可能なカバー５２０の一部になっている。指カバー１は、ミシン目５２１によって、カバー５２０から切り離し可能に形成されている。図１３，１４において、コップ５００は、紙製、プラスチックなどの樹脂製とすることができる。
【００５６】
図１５に示す例では、指カバー１は、ペットボトル６００のラベルシート６１０の一部になっている。指カバー１は、ミシン目６１１によって、ラベルシート６１０から切り離し可能に形成されている。この場合、指カバー１は、ラベルシート６１０と同一の樹脂シートから形成されている。
【００５７】
以上の説明では、指カバー１の提供例として説明したが、指カバー２、指カバー３、指カバー４、指カバー５、指カバー６、指カバー７、指カバー８も同様の形態で提供可能である。
【００５８】
（６）その他の実施形態
上記のように、実施形態をあげて本考案について記載したが、この開示の一部をなす論述及び図面は、この考案を限定するものであると理解すべきではない。この開示から当業者には、様々な代替実施形態、実施例及び運用技術が明らかとなる。
【００５９】
例えば、指カバー１は、手指を使って食する場合に使用されるだけでなく、汚れたものを摘む場合にも使用できる。更には、肌に直接触れると好ましくない液体、薬品、血液などが付着したものを摘む場合にも使用可能である。
【００６０】
上述のように、本考案は、ここでは記載していない様々な実施形態等を包含するということを理解すべきである。したがって、本考案はこの開示から妥当な実用新案登録請求の範囲の考案特定事項によってのみ限定されるものである。
【符号の説明】
【００６１】
１，２，３，４，５，６，７，８…指カバー、  １１，１２…スリット部、  １３…帯状部、  １４ａ，１４ｂ…折れ線部、  ２１…指当接面、  ２２…使用面、  ３１…指挿入部、  ４１…爪側端部、  ４２…関節側端部、  ５１，５２…スリット端部、  ６１…凹部及び／又は突部、  １１１，１１２…スリット部、  １１３…帯状部、１２１，１２２…スリット部、  １２３…帯状部、１２４…使用面、  １２６…関節側端部、  １３１…使用面、  １３２…凹部、  ５００…コップ、  ５１０…シート、  ５１１…ミシン目、  ５２０…カバー、  ５２１…ミシン目、  ６００…ペットボトル、  ６１０…ラベルシート、  ６１１…ミシン目、  Ｃ…中央部、ＣＤ…交差方向、  Ｄｉｎ…挿入方向、  Ｍ…手指、  Ｍａ…指腹
【図１】
0003160106.tif 000003
【図２】
0003160106.tif 000004
【図３】
0003160106.tif 000005
【図４】
0003160106.tif 000006
【図５】
0003160106.tif 000007
【図６】
0003160106.tif 000008
【図７】
0003160106.tif 000009
【図８】
0003160106.tif 000010
【図９】
0003160106.tif 000011
【図１０】
0003160106.tif 000012
【図１１】
0003160106.tif 000013
【図１２】
0003160106.tif 000014
【図１３】
0003160106.tif 000015
【図１４】
0003160106.tif 000016
【図１５】
0003160106.tif 000017